(57)【要約】  廃材ｗ等の搬送される物質が搬送空気ａから分離される、廃棄物搬送システム等の空気圧式物質搬送システムの分離機構の分離効率を向上させる、及び／又は、分離機構の搬送空気の排出孔の閉塞を防止する方法に関する。圧力媒体は、分離機構１００内のそのチャンバースペース１０１内に、好ましくは搬送空気の排出孔７の近くに噴霧される。【選択図】図１
2014516018.tif 000002
【特許請求の範囲】
【請求項１】
前記廃材（ｗ）が前記搬送空気（ａ）から分離される、空気圧式廃棄物搬送システムの分離機構の分離効率を向上させる、及び／又は、前記分離機構の前記搬送空気の前記排出孔の閉塞を防止する方法であって、
圧力媒体が、前記分離機構（１００）内のそのチャンバースペース（１０１）内に、好ましくは前記搬送空気の前記排出孔（７）の近くに、前記搬送空気とともに前記排出孔（７）に向かって移動する傾向がある廃棄グレード物に作用するように噴霧され、それによって、前記廃棄グレード物は、少なくとも部分的に前記圧力媒体噴霧物（１３）により前記分離機構（１００）の前記底部に向かってガイドされることを特徴とする、方法。
【請求項２】
前記圧力媒体は、前記排出孔（７）内に又は該排出孔（７）の近くに配置される噴霧ノズル（１０）によって噴霧されることを特徴とする、請求項１に記載の方法。
【請求項３】
前記圧力媒体は、前記搬送空気の前記流れ方向に対して実質的に逆の方向に噴霧されることを特徴とする、請求項１又は２に記載の方法。
【請求項４】
前記圧力媒体は、複数のノズル（１０、１０’）によって噴霧されることを特徴とする、請求項１乃至３のいずれか１項に記載の方法。
【請求項５】
前記圧力媒体は、圧縮空気等のガスであることを特徴とする、請求項１乃至４のいずれか１項に記載の方法。
【請求項６】
前記圧力媒体は液体であり、その場合、好ましくは液体ミストが噴霧されることを特徴とする、請求項１乃至５のいずれか１項に記載の方法。
【請求項７】
前記搬送空気は、濾過手段（１７）によって濾過され、その場合、前記圧力媒体噴霧物（１３、１３’）は、前記濾過手段（１７）の前記フィルター表面上に少なくとも部分的に方向付けられることを特徴とする、請求項１乃至６のいずれか１項に記載の方法。
【請求項８】
空気流が逆方向に前記濾過手段（１７）を通ってもたらされ、その場合、前記濾過手段の閉塞物の除去すなわち清掃が高められることを特徴とする、請求項７に記載の方法。
【請求項９】
前記圧力媒体が液体である場合、廃棄グレード物の一部を圧力媒体噴霧物（１３、１３’）によって湿らせ、前記廃棄グレード物は、湿ると、前記分離機構（１００）の前記底部に向かって落下することを特徴とする、請求項１乃至８のいずれか１項に記載の方法。
【請求項１０】
前記分離機構（１００）はサイクロンセパレーターであることを特徴とする、請求項１乃至９のいずれか１項に記載の方法。
【請求項１１】
前記分離機構（１００）は廃棄物タンクであることを特徴とする、請求項１乃至１０のいずれか１項に記載の方法。
【請求項１２】
搬送される前記廃材（ｗ）が前記搬送空気（ａ）から分離される、空気圧式廃材搬送システムの分離機構の分離効率を向上させる、及び／又は、前記分離機構の前記搬送空気の前記排出孔の閉塞を防止する装置であって、前記分離機構（１００）は、チャンバースペース（１０１）と、搬送される前記物質及び前記搬送空気の投入孔（３）と、前記搬送空気の排出孔（７）と、また前記分離した物質の排出孔（５）とを備え、
圧力媒体を、前記分離機構（１００）の前記チャンバースペース（１０１）内に、好ましくは前記搬送空気の前記排出孔（７）の近くに噴霧する、前記圧力媒体の少なくとも１つの噴霧ノズル（１０、１０’）が、前記分離機構内に配置され、そのため、前記圧力媒体噴霧物は、前記搬送空気とともに前記排出孔（７）に向かって移動する傾向がある廃棄グレード物に作用するようになっており、それによって、前記廃棄グレード物は、少なくとも部分的に前記圧力媒体噴霧物（１３）により前記分離機構（１００）の前記底部に向かってガイドされることを特徴とする、装置。
【請求項１３】
前記圧力媒体の前記噴霧ノズル（１０、１０’）は、前記搬送空気の前記排出孔（７）内に又は該排出孔（７）の近くに配置されることを特徴とする、請求項１２に記載の装置。
【請求項１４】
前記圧力媒体の前記噴霧ノズル（１０、１０’）は、前記搬送空気の前記排出ダクト（９）内に配置されることを特徴とする、請求項１２又は１３に記載の装置。
【請求項１５】
前記圧力媒体の噴霧ノズル（１０、１０’）は、作動時に、前記搬送空気の前記流れ方向に対して実質的に逆の方向に噴霧するように方向付けられることを特徴とする、請求項１２乃至１４のいずれか１項に記載の装置。
【請求項１６】
前記圧力媒体の複数の噴霧ノズルがあることを特徴とする、請求項１２乃至１５のいずれか１項に記載の装置。
【請求項１７】
前記圧力媒体の前記噴霧ノズル（１０、１０’）は、互いから或る距離のところに配置されることを特徴とする、請求項１２乃至１６のいずれか１項に記載の装置。
【請求項１８】
前記圧力媒体の複数の噴霧ノズル（１０、１０’）が、並列配置されることを特徴とする、請求項１２乃至１７のいずれか１項に記載の装置。
【請求項１９】
前記圧力媒体の前記噴霧ノズル（１０、１０’）は、前記搬送空気の前記流れ方向に互いから或る距離のところに配置されることを特徴とする、請求項１２乃至１８のいずれか１項に記載の装置。
【請求項２０】
噴霧ノズル（１０、１０’）は、作動時に、ガス及び／又は液体を噴霧するように構成されることを特徴とする、請求項１２乃至１９のいずれか１項に記載の装置。
【請求項２１】
請求項１２乃至２０のいずれか１項に記載の装置であって、該装置は、前記搬送空気の少なくとも１つの濾過手段（１７）を備え、前記圧力媒体の噴霧ノズル（１０’）は、作動時に、該濾過手段（１７）の前記フィルター表面上に噴霧するように方向付けられることを特徴とする、請求項１２乃至２０のいずれか１項に記載の装置。
【請求項２２】
請求項２１に記載の装置であって、該装置によって、空気流が逆方向に前記濾過手段（１７）を通ってもたらされ、その場合、前記濾過手段の閉塞物の除去すなわち清掃が更に高まることを特徴とする、請求項２１に記載の装置。
【発明の詳細な説明】
【技術分野】
【０００１】
本発明の対象は、請求項１のプリアンブルに規定される方法である。
【０００２】
本発明の対象はまた、請求項１２のプリアンブルに規定される装置である。
【０００３】
本発明は、包括的には、部分真空搬送システム等の空気圧式物質搬送システムに関し、より詳細には、家庭廃棄物の搬送等の廃棄物の収集及び搬送に関する。
【背景技術】
【０００４】
吸引手段、圧力差及び／又は搬送空気の流れによって廃棄物が配管内で搬送される空気圧式物質搬送システムが、当該技術分野において既知である。特に、種々の建物、施設又はより広範なエリア、例えば街区若しくは市区における廃棄物を搬送するために、空気圧式管物質搬送システムが使用されている。圧力差を得るのに部分真空装置を使用することがこれらのシステムに一般的であり、上記装置では、部分真空、圧力差及び／又は搬送空気の流れが、真空ポンプ又はエジェクター装置又はファン等の部分真空発生器によって搬送管内で得られる。廃棄物は、投入点から配管に沿って搬送空気とともに分離機構内に移送され、分離機構は、例えばサイクロンセパレーター又は何らかの他のタンクであり、この分離機構内で、搬送される物質が搬送空気から分離する。搬送空気は搬送空気用の排出孔から出るが、廃棄物は分離機構内に滞留し、例えば必要に応じて、分離機構から除去される。搬送空気及び廃棄物は、分離機構内で通常は壁近くで循環し、この場合、より重い廃棄物は分離機構内に滞留し、搬送空気はサイクロンセパレーターの中心から上方へゆっくりと上昇する。一問題は、軽量であり表面積が大きい紙及び薄片プラスチックが場合によって、ゆっくりと上昇する搬送空気流とともに上昇する可能性があることである。したがって、搬送される廃棄物に加えて、例えば廃紙、プラスチックフィルム、プラスチック袋等の廃棄グレード物(waste grades、再生可能物)が存在することが多く、浮遊性がある（unattached）とともに他の廃棄物よりも軽量であるこれらの廃棄グレード物は、分離機構又は他のタンクの搬送空気の排出孔を部分的に又は完全に塞ぐ可能性がある。加えて、多くの場合、濾過手段が、タンクの搬送空気の排出孔と接続して又は排出孔の近くに配置されており、搬送空気が濾過手段を通って分離機構又はタンクから出る。したがって、サイクロンセパレーター又は他のタンク等の分離機構に伴う一問題は、廃棄物、一般的には例えば紙及び薄片プラスチックが、分離機構の搬送空気の排出孔を塞ぐ傾向にあることである。問題となる廃棄グレード物、例えば紙及びプラスチックは通常、表面積が大きく重量が低い。これらのことは多くの場合、搬送空気の排出孔への空気流が少量であっても、問題となる廃棄グレード物が非常に容易に浮遊することから、セパレーターに問題を生じさせる。排出孔の閉塞を防止し、その一方で、入り込んだ廃棄物を除去するのに、種々の機械的手段、例えば回転ブラシを使用することによって、この問題を解決する努力が行われてきた。しかしながら、これらは十分に機能していない。
【発明の概要】
【０００５】
本発明の目的は、空気圧式物質搬送システムの分離機構と併せた全く新規のタイプの解決策であって、これによって従来技術の解決策の欠点を回避する解決策を得ることである。本発明の別の目的は、空気圧式廃棄物搬送システムと併せて適用可能な解決策であって、これによって、分離機構の排出孔の閉塞を従来よりも容易に防止することができ、その一方で、分離機構の搬送空気の排出孔の閉塞物を除去することができる解決策を得ることである。更に別の目的は、分離機構の分離効率を向上させることができる解決策を得ることである。更に別の目的は、分離機構の濾過手段の作用を高めることもできる解決策を得ることである。
【課題を解決するための手段】
【０００６】
本発明は、圧力媒体ノズルが、空気圧式物質搬送システムの分離機構と接続して、好ましくは、搬送空気の排出孔内又は排出孔の近くに配置され、圧力媒体ノズルは、作動時に、噴霧により、紙又はプラスチックフィルム若しくはプラスチック袋等の廃棄物粒子（particles：小片）が搬送空気の排出孔に進入することを低減若しくは防止し、及び／又は排出孔の閉塞を低減又は防止するよう、圧力媒体を噴霧する／吹き付けるように構成される、という概念に基づいている。
【０００７】
本発明による方法は主として、圧力媒体が、分離機構内のそのチャンバースペース内に、好ましくは搬送空気の排出孔の近くに噴霧されることを特徴とする。
【０００８】
本発明による方法はまた、請求項２乃至１１に記載されているものを特徴とする。
【０００９】
本発明による装置は主として、圧力媒体の少なくとも１つの噴霧ノズルが、分離機構のチャンバースペース内に、好ましくは搬送空気の排出孔の近くに圧力媒体を噴霧するように、分離機構内に配置されることを特徴とする。
【００１０】
本発明による装置はまた、請求項１３乃至２２に記載されているものを特徴とする。
【００１１】
本発明による解決策は複数の重要な利点を有する。圧力媒体ノズルを、分離機構と接続して、好ましくは排出孔内に又は排出孔の近くに配置することによって、圧力媒体ノズルは、作動時に、紙又はプラスチックフィルム若しくはプラスチック袋等の廃棄物粒子が排出孔に入り込まないように及び／又は排出孔を塞がないように圧力媒体を噴霧する／吹き付けるように構成され、従来よりも動作が確実である、空気圧式廃棄物搬送システム用の分離機構が達成される。圧力媒体ノズルは、上方へ浮遊する紙／プラスチックに吹き付けて排出孔から離す。圧縮空気等の圧力媒体の総量は少なく、そのため、実際の搬送空気量に実質的に大きな影響は与えない。圧力媒体として圧縮空気等のガスに加えて又はその代わりに、作動時に液体を噴霧するノズル、好ましくは水ミストを吹き付けるノズルを使用することができる。液体を噴霧する圧力媒体ノズルはまた、排出孔のノズルの収束エリア内に漂流する廃棄物粒子に潅注し、紙又はプラスチック等の粒子を通常はより重くさせ、その場合、それらの粒子は分離機構内で下方に下降する。圧力媒体ノズルはまた、ガスを噴霧するノズルと液体を噴霧するノズルとを組み合わせたものとすることができる。水は、大量の搬送空気中で迅速に蒸発し、そのため、廃棄物搬送プロセスにおいて有害にならない。加えて、圧力媒体噴霧物によって、分離機構の濾過手段の作用を高めることもできる。
【００１２】
以下、本発明を、添付図面を参照して一実施形態を用いてより詳細に説明する。
【図面の簡単な説明】
【００１３】
【図１】分離機構と接続した、本発明の一実施形態による一装置の簡略断面図である。
【図２】矢印Ａの方向から図１の実施形態の装置を示す図である。
【図３】図１のＩＩＩ−ＩＩＩの線に沿った、本発明の一実施形態による装置の断面図である。
【図４】本発明の一実施形態による装置の簡略断面図である。
【図５】図４のＶ−Ｖの線に沿った、本発明の一実施形態による装置の断面図である。
【図６】本発明の一実施形態による装置の簡略断面図である。
【図７】図６のＶＩＩ−ＶＩＩの線に沿った、本発明の一実施形態による装置の断面図である。
【発明を実施するための形態】
【００１４】
図１は、空気圧式物質搬送システム、より詳細には廃棄物搬送システムの分離機構１００に接続されている、本発明の一実施形態による一装置の簡略図を示す。図の実施形態では、分離機構１００は、壁１、１５によって画定されているチャンバースペース１０１を含む、いわゆるサイクロンセパレーターである。投入分岐継手２が分離機構のチャンバースペースに接続されており、この分岐継手を介して、廃材等の搬送される物質が搬送空気とともに投入孔３から分離機構内に導かれる。物質搬送システムでは、搬送配管内に給送された物質は、搬送配管に沿って分離機構に移送され、分離機構内で、移送された物質は、例えば速度降下及び遠心力に起因して、搬送空気から分離する。図の実施形態では、廃材等の分離した物質は、分離機構の底部に漂流する。図１では、分離した物質の、分離機構１００のチャンバースペース１０１の底部への漂流が、矢印ｗで示されている。分離した物質は、例えば必要に応じて、例えば分離機構１００の底部に配置されている物質排出孔５を介して、分離機構から除去される。搬送空気は、搬送空気用の排出分岐継手４によって分離機構から導かれる。搬送空気は通常、分離機構内で偏向され、その場合、搬送空気に伴っているより重い物質は搬送空気からより容易に分離する。図の実施形態では、壁部６が分離機構の頂部内に配置されており、この壁部は分離手段内に延びている。図の実施形態では、壁部６は円筒形である。スペース９が壁部６のリムの内側に形成されており、このスペースに、壁６の底部の孔、すなわち排出孔が通じる。スペースの頂部から搬送空気用の排出分岐継手４までがつながっている。図の実施形態では、壁部６の底部に排出孔７がある。図の実施形態では、円筒形の壁部６の底端は開いている。壁６の頂部は、搬送空気用の排出分岐継手４を備える。図の実施形態では、円筒形の壁部６及びスペース９は、例えば頂壁１５内に形成されている孔から分離機構の頂端、例えば頂壁１５を通って延びている。壁部６の頂端に端プレート８がある。搬送空気用の排出分岐継手４は壁部６の頂部内に構成されている。分離手段内での搬送空気の移動は、矢印ａによっておおまかに示されている。
【００１５】
図の実施形態では、投入孔３は、分離機構の壁１において、分離機構の頂壁１５と、分離機構の内部へ延びる壁６の底部内の孔７との間のエリアに配置されている。したがって、分離機構は、環状断面であって、その内側リムを壁６が形成するとともにその外側を分離機構の壁１が形成する環状断面を或るエリアに含む。
【００１６】
少なくとも１つの噴霧ノズル１０が分離機構内に配置されており、噴霧ノズルは、作動時に、圧力媒体を、分離機構内で、スペース９及び排出分岐継手４に通じる排出孔７等の搬送空気用の排出孔又は排出孔に通じるダクトの近くに噴霧するように構成されている。圧力媒体は、搬送空気の流れ方向に対して実質的に逆の方向に噴霧される。圧力媒体は、排出孔７内に又は排出孔の近くに進入した廃棄物質が排出孔又は排出孔の近くから離れるように噴霧ノズル１０によって噴霧される。複数の噴霧ノズル１０があるものとすることができる。図１乃至図３の実施形態によれば、噴霧ノズル１０は対象エリア内に分割配置される。一実施形態によれば、圧力媒体噴霧物１３が排出孔７の実質的に全体のエリアをカバーする。噴霧物により、廃棄物粒子、より詳細には紙又はプラスチックフィルム若しくはプラスチック袋が排出孔７に入ることが防止される。図１の実施形態では、複数の噴霧ノズル１０は、円筒形壁６の底部内に又は底部の近くに、好ましくは孔７内に配置される。図の実施形態では、管手段１１が圧力媒体を幹管１２からノズル１０に送るように構成されており、図では、管手段１１はスペース９に通されている。圧力媒体を幹管１２に送ることは本質的に当業者に既知であることが前提とされており、図面にはより詳細に示されていない。圧力媒体は、幹管１２に接続されているポンプ手段によって媒体源から送ることができる。圧力媒体が圧縮空気等のガス状である場合、当該技術において本質的に既知である空気圧縮機を、圧力媒体を送るのに使用することができる。液体圧力媒体、例えば水が使用される場合、液体源を用いることができ、液体源から液体を媒体ポンプによって必要な圧力により幹管１２内に圧送して管１１に前進させ、ノズル１０に至らせる。
【００１７】
圧力媒体ノズル１０を、分離機構と接続して、好ましくは排出孔７内又は排出孔の近くに配置することによって、圧力媒体ノズルは、作動時に、紙又はプラスチックフィルム若しくはプラスチック袋等の廃棄物粒子が排出孔に入り込まないように及び／又は排出孔を塞がないように圧力媒体を噴霧する／吹き付けるように構成されており、従来よりも動作が確実である、空気圧式廃棄物搬送システム用の分離機構を達成することができる。圧力媒体ノズルは、排出孔７側に浮遊している、搬送空気に伴っている紙／プラスチックに吹き付けて排出孔から離す。ノズル１０から噴霧される、圧縮空気等の圧力媒体の総量は少なく、そのため、実際の搬送空気量に本質的に重大な影響を与えず、したがって、物質搬送システム自体の動作に悪影響を与えない。圧縮空気等のガスに加えて又はその代わりに、噴霧される圧力媒体として、液体、好ましくは水ミストを使用することができる。液体を噴霧する圧力媒体ノズルはまた、排出孔の近く等、ノズルのカバーエリア内に漂流する廃棄物粒子に潅注し、それによって、紙又はプラスチック等の粒子を通常はより重くさせ、その場合、廃棄物粒子は分離機構内で下方に下降する。圧力媒体ノズル１０はまた、ガスを噴霧するノズルと液体を噴霧するノズルとを組み合わせたものとすることができる。必要であれば、異なる圧力媒体を同じノズルから、例えばガスと液体とを交互に噴霧することができることが考えられ得る。液体、例えば水を噴霧する場合、水は、大量の搬送空気中で迅速に蒸発し、そのため、廃棄物搬送プロセスにおいて有害にならない。
【００１８】
加えて、分離機構の搬送空気を濾過手段１７によって清浄化することができ、搬送空気は、分離機構から搬送空気用の排出分岐継手４に向かって進む際に濾過手段を通って流れる。図４及び図５によれば、本発明による噴霧ノズル１０は、搬送空気の流れ方向に濾過手段１７の前に配置される。
【００１９】
図４及び図５によれば、濾過手段１７は、壁６によって画定されているチャンバースペース９内に配置される。図の実施形態では、濾過手段の濾過表面積は、円錐形状又は円筒形状の濾過手段を含むフィルターカートリッジを使用することによって幾分大きくされている。濾過手段１７の濾過部材は、濾過手段の頂部１９から濾過手段の底部１８に向かって円錐状にテーパーになるように構成されている。濾過手段の頂部１９は孔２０を有し、この孔から、フィルターを通って進んだ搬送空気が搬送空気用の出口分岐継手４に向かって導かれる。図によれば、噴霧ノズル１０につながる管手段１１の幾つかが、濾過手段の頂部１９の孔２０と、濾過手段の底部１８から形成されている第２の孔を通して配置される。一実施形態（図４）によれば、濾過手段１７は、孔の縁領域又は縁領域の近くにおいて分離機構の頂壁１５に隣接するフランジ１６による固定手段を伴って構成される。
【００２０】
図６及び図７は、第２の実施形態を更に示し、この第２の実施形態では、噴霧ノズル１０、１０’のうちの少なくとも一方が、作動時に、圧力媒体噴霧物１３’を濾過手段１７のフィルター表面上に噴霧するように構成されており、その場合、一方で、該当する圧力媒体噴霧物１３’は、廃棄物粒子、より詳細には紙粒子又はプラスチック粒子が濾過手段１７のフィルターの表面上に漂流することを防止し、他方で、濾過手段１７の表面に付着した粒子をフィルターの表面から除去し、それらを（図１におけるような）排出孔５に向けて分離機構の底部に方向付ける。図６及び図７によれば、濾過手段の表面上に噴霧するように少なくとも部分的に方向付けられている、圧力媒体噴霧物１３’の該当する噴霧ノズル１０’は、図７のようにして濾過手段１７の間のスペースに並列配置される。図７は、濾過手段１７に対する、ノズルにつながる管手段１１’の場所を示し、その場合、管手段内に配置されるノズルの場所が実質的に対応する。図６は、分離機構が縦向き（attitude）である場合の高さ方向の噴霧ノズル１０’の位置を示す。この場合、噴霧物１３’によって圧力媒体が濾過手段の表面上に幾分広範に噴霧されることが有利であり得ることが見てとれる。第２のノズル１０’は、高さ方向に、好ましくは、濾過手段の頂端１９近くの、濾過手段の下端１８から搬送空気の流れ方向に或る距離にある。ノズル１０、１０’の少なくとも幾つかは、液体又はガスである第２の媒体を導くことができる。図６及び図７は、圧力媒体（圧力媒体）が第１の管路１１によって第１の幹管１２から第１のノズルに導かれ、圧力媒体すなわち第２の圧力媒体（圧力媒体’）が第２の管路１１’によって第２の幹管１２’から第２のノズル１０’に導かれる実施形態を示す。第１の圧力媒体及び第２の圧力媒体は、同じ圧力媒体とすることも互いと異なる圧力媒体とすることもできる。一実施形態によれば、第１の圧力媒体は圧縮空気等のガスであり、第２の圧力媒体は液体、例えば水ミストである。第２の実施形態によれば、第２の媒体はガスであり、第１の媒体は水ミスト等の液体である。
【００２１】
濾過手段１７の清掃は、孔２０から濾過手段内へのいわゆる「逆流」をもたらすことによって更に高めることができ、その場合、空気流は通常の状況に対して逆の方向に濾過手段を通って進む。圧力媒体噴霧は、フィルターから引き離された廃棄物粒子が分離機構１００のチャンバースペース１０１の底部に進むことに関与する。
【００２２】
本発明はまた、廃材ｗ等の搬送される物質が搬送空気ａから分離される、廃棄物搬送システム等の空気圧式物質搬送システムの分離機構の分離効率を向上させるための、及び／又は、分離機構の搬送空気の排出孔の閉塞を防止するための方法に関する。圧力媒体は、分離機構１００内の分離機構１００のチャンバースペース１０１内に、好ましくは搬送空気の排出孔７の近くに噴霧される。
【００２３】
一実施形態によれば、圧力媒体は、排出孔７内に又は排出孔７の近くに配置される噴霧ノズル１０によって噴霧される。
【００２４】
一実施形態によれば、圧力媒体は、搬送空気の流れ方向に対して実質的に逆の方向に噴霧される。
【００２５】
一実施形態によれば、圧力媒体は、複数のノズル１０、１０’によって噴霧される。
【００２６】
一実施形態によれば、圧力媒体は、搬送空気とともに排出孔７に向かって移動する傾向がある廃棄グレード物に作用するように噴霧され、それによって、廃棄グレード物は、少なくとも部分的に圧力媒体噴霧物１３により分離機構の底部に向けてガイドされる。
【００２７】
一実施形態によれば、圧力媒体は、圧縮空気等のガスである。
【００２８】
一実施形態によれば、圧力媒体は、液体であり、その場合、好ましくは液体ミストが噴霧される。
【００２９】
一実施形態によれば、搬送空気は、濾過手段１７によって濾過され、その場合、圧力媒体噴霧物１３、１３’は、濾過手段１７のフィルター表面上に少なくとも部分的に方向付けられる。
【００３０】
一実施形態によれば、空気流が逆方向に濾過手段１７を通ってもたらされ、その場合、濾過手段の閉塞物の除去すなわち清掃が高められる。
【００３１】
一実施形態によれば、圧力媒体が液体である場合、廃棄グレード物の一部を圧力媒体噴霧物１３、１３’によって湿らせ、廃棄グレード物は、湿ると、分離機構の底部に向かって落下する。
【００３２】
一実施形態によれば、分離機構１００はサイクロンセパレーターである。
【００３３】
一実施形態によれば、分離機構１００は廃棄物タンクである。
【００３４】
本発明はまた、廃材ｗ等の搬送される物質が搬送空気ａから分離される、空気圧式物質搬送システムの分離機構の分離効率を向上させるための、及び／又は、分離機構の搬送空気の排出孔の閉塞を防止するための装置であって、分離機構は、チャンバースペース１０１と、搬送される物質及び搬送空気用の投入孔３と、搬送空気用の排出孔７と、また分離した物質用の排出孔５とを備える、装置に関する。圧力媒体を、分離機構１００のチャンバースペース１０１内に、好ましくは搬送空気の排出孔７の近くに噴霧する、圧力媒体の少なくとも１つの噴霧ノズル１０、１０’が、分離機構内に配置され、そのため、圧力媒体噴霧物は、搬送空気とともに排出孔７に向かって移動する傾向がある廃棄グレード物に作用するようになっており、それによって、廃棄グレード物は、少なくとも部分的に圧力媒体噴霧物１３により分離機構１００の底部に向かってガイドされる。
【００３５】
一実施形態によれば、圧力媒体の噴霧ノズル１０、１０’は、搬送空気の排出孔７内に又は排出孔７の近くに配置される。
【００３６】
一実施形態によれば、圧力媒体の噴霧ノズル１０、１０’は、搬送空気の排出ダクト９内に配置される。
【００３７】
一実施形態によれば、圧力媒体の噴霧ノズル１０、１０’は、作動時に、搬送空気の流れ方向に対して実質的に逆の方向に噴霧するように方向付けられる。
【００３８】
一実施形態によれば、圧力媒体の複数の噴霧ノズルがある。
【００３９】
一実施形態によれば、圧力媒体の噴霧ノズル１０、１０’は、互いから或る距離のところに配置される。
【００４０】
一実施形態によれば、圧力媒体の複数の噴霧ノズル１０、１０’が、並列配置される。
【００４１】
一実施形態によれば、圧力媒体の噴霧ノズル１０、１０’は、搬送空気の流れ方向に互いから或る距離のところに配置される。
【００４２】
一実施形態によれば、噴霧ノズル１０、１０’は、作動時に、ガス及び／又は液体を噴霧するように構成される。
【００４３】
一実施形態によれば、上記装置は、搬送空気の少なくとも１つの濾過手段１７を備え、圧力媒体の噴霧ノズル１０’は、作動時に、濾過手段１７のフィルター表面上に噴霧するように方向付けられる。
【００４４】
一実施形態によれば、上記装置によって、空気流が逆方向に濾過手段１７を通ってもたらされ、その場合、濾過手段の閉塞物の除去すなわち清掃が更に高まる。
【００４５】
本発明は、上記で示された実施形態に限定されないが、添付の特許請求の範囲の範囲内で変えることができることが当業者に明らかである。他の特徴とともに本明細書において示された可能性のある特徴は、必要であれば互いに別々に使用することもできる。
【図１】
2014516018.tif 000003
【図２】
2014516018.tif 000004
【図３】
2014516018.tif 000005
【図４】
2014516018.tif 000006
【図５】
2014516018.tif 000007
【図６】
2014516018.tif 000008
【図７】
2014516018.tif 000009
【国際調査報告】
2014516018.tif 000010
2014516018.tif 000011
2014516018.tif 000012